(57)【要約】【課題】  逆流防止装置を小型で低コストに製造できるようにし、ダイヤフラムからの気密漏れを防止できるようにする。【解決手段】  本発明に係る逆流防止装置においては、ダイヤフラム１８とピストン６とがボルト及びナットやリテーナなどの別部品を介在させることなく、密着した状態で一体的に動作する。このため、別部品が設けられない分、部品点数が削減されてコストを低減できるとともに、逆流防止装置全体をコンパクトに構成することができる。さらに、ダイヤフラム１８に固定用の孔部を設ける必要がないため、気密漏れを確実に防止することができる。【選択図】  図１
2006342927.tif 000002
【特許請求の範囲】
【請求項１】
給水源配管と給水先配管との間に配置されて、前記給水源配管の一次圧と前記給水先配管の二次圧とを受けて開閉し、前記給水先配管を流れてきた逆流水を外部に排水することで、前記給水源配管への逆流を防止する逆流防止装置であって、
前記給水先配管につながる第１接続部と、前記給水源配管につながる第２接続部と、前記第１接続部から導入された前記逆流水を外部に排出する排水口とを有するボディと、
前記ボディの内部に往復移動可能に配置された弁体と、
前記第１接続部と前記排水口とを連通する連通路に設けられた弁座と、
前記弁体に一体的に設けられ、前記排水口に連通する空間内で前記弁座に対して接離することにより前記連通路を開閉する弁形成部と、
前記ボディの内部における前記第１接続部と前記第２接続部との間の空間を仕切るとともに、前記第１接続部側の空間部に配置された前記弁体の端部に当接して配置され、前記第１接続部側の面に前記二次圧を受け、前記第２接続部側の面に前記一次圧を受けて前記弁体と一体に動作するダイヤフラムと、
を備えたことを特徴とする逆流防止装置。
【請求項２】
前記ダイヤフラムは、前記ボディに固定された周端部近傍が折り返されてカップ状に形成された本体を有し、前記本体に前記弁体の前記端部が部分的に収容されるように構成されたことを特徴とする請求項１記載の逆流防止装置。
【請求項３】
前記弁体は、有底筒状の本体の底部に穿設された嵌合孔を有し、
前記ダイヤフラムは、前記弁体側の面に突設された嵌合部を有し、前記嵌合部が前記嵌合孔に挿通嵌合されることにより前記弁体に固定されていること、
を特徴とする請求項１記載の逆流防止装置。
【請求項４】
前記弁体と前記ダイヤフラムとが、それぞれの対向面に形成された相補形状の係合部により互いに係合していることを特徴とする請求項１記載の逆流防止装置。
【請求項５】
前記弁体に対して前記ダイヤフラム側への付勢力を付与する付勢手段を備えたことを特徴とする請求項１記載の逆流防止装置。
【請求項６】
前記弁体は、前記端部が前記ダイヤフラムに支持され、前記端部とは反対側に設けられた軸部が、前記ボディに設けられた軸受部に軸線方向に摺動自在に支持されたことを特徴とする請求項１記載の逆流防止装置。
【請求項７】
前記ボディが、前記第１接続部を形成する第１ボディと前記第２接続部を形成する第２ボディから構成され、
前記ダイヤフラムは、前記第１ボディと前記第２ボディとによって挟持されていること、
を特徴とする請求項１記載の逆流防止装置。
【発明の詳細な説明】
【技術分野】
【０００１】
本発明は逆流防止装置に関し、特に給水源配管と給水先配管との間に配置され、給水先配管を流れてきた逆流水を外部に排水することにより給水源配管への逆流を防止する逆流防止装置に関する。
【背景技術】
【０００２】
従来より、給湯システムにおいては、給湯装置から給湯用の蛇口に接続されている給湯管を分岐して、湯水が浴槽に供給されるよう配管されている。その配管の途中には、一般に、浴槽への湯量を検出する流量センサと、浴槽への温水供給を制御する電磁弁と、浴槽から逆流してきた汚水を大気に放出する逆流防止装置と、浴槽からの汚水の逆流を阻止する逆止弁とが配置されている。
【０００３】
ところで、高層の集合住宅はもちろん、戸建ての住宅においても、浴槽が給湯装置よりも高い位置に設置される場合が多くなってきている。このため、断水あるいは停電による給水加圧ポンプの停止などにより、給水側の水圧が低下して負圧になったときには、その負圧が浴槽への配管内の水を吸引しようとする。そのときに、万が一弁部に異物が挟まるなどして逆止弁が正常に機能しなくなっていると、高い位置に設置されている浴槽からその故障した逆止弁を介して逆流してきた浴槽内の汚水をも吸引してしまうことになる。このような場合に備え、逆止弁を介して逆流してきた浴槽の汚水が電磁弁及び流量センサを介して給湯用の配管まで吸い込まれることなく、電磁弁及びフローセンサの手前でトラップして大気に流す逆流防止装置が設けられている。
【０００４】
このような逆流防止装置としては、ダイヤフラムからなる受圧部の一方の面に給水源側の一次圧力を受け、他方の面に浴槽側の二次圧力を受けて、一次圧力が低下した場合に受圧部が弁体を駆動して開弁し、二次側の汚水を大気に逃がす構成を有するものがある（例えば、特許文献１参照。）。
【０００５】
図８は、このような給湯システムの構成例を示す図である。
給湯システムにおいて、上水道の給水管１０１は、フローセンサ１０２を介して熱交換器１０３及び水バイパス弁１０４の上流側に接続されており、熱交換器１０３及び水バイパス弁１０４の下流側で合流した後、水比例弁１０５に接続されている。この水比例弁１０５の下流側は、例えば台所の蛇口などへ出湯する給湯管１０６に接続されている。これらフローセンサ１０２、熱交換器１０３、水バイパス弁１０４及び水比例弁１０５が、給湯装置を構成している。
【０００６】
また、水比例弁１０５の下流側は、フローセンサ１０７、電磁弁１０８、及び直列に２つ配置した逆止弁１０９，１１０を介して風呂の浴槽１１１に配管されており、逆止弁１０９，１１０の間の配管には逆流防止装置１１２が配置されている。
【０００７】
逆流防止装置１１２は、逆止弁１０９，１１０の間の配管に接続される接続部１１３及び大気に開放される排水口１１４を一体に備えたボディ１１５を有している。接続部１１３の開口中心と同軸上に、ピストン１１６が軸線方向に進退自在に配置され、その進退移動によってピストン１１６に嵌着された環状の弁パッキン１１７がピストン１１６の接続部１１３側の空間と排水口１１４との間の通路を開閉するよう構成されている。ピストン１１６の接続部１１３側と反対側には、ダイヤフラム１１８の中央部がリテーナ１１９及びねじ１２０によって固定されている。このダイヤフラム１１８の外周部は、ボディ１２１，１２２によって挾持固定されている。ボディ１２２には、検圧管１２３を介して給水管１０１に接続される接続部１２４を有し、ダイヤフラム１１８とボディ１２２とによって形成される空間は、給水管１０１の元圧を受けるための部屋を構成している。また、ピストン１１６は、スプリング１２５によって、接続部１１３と排水口１１４との間の通路を開く方向に付勢されており、その開く方向のストロークは、中間のボディ１２１への当接によって規制されている。
【０００８】
このような給湯システムにおいて、給水管１０１から給水された上水は、フローセンサ１０２を通り、一部が熱交換器１０３にて加熱されて湯になり、一部は水バイパス弁１０４を通って熱交換器１０３から出てきた湯と混合される。このとき、水バイパス弁１０４により熱交換器１０３をバイパスする流量を制御することにより、湯水の混合比が変えられて出湯温度が制御される。所望の温度に制御された湯は、さらに、水比例弁１０５により出湯流量が制御されて給湯管１０６より給湯される。
【０００９】
また、浴槽１１１に湯張りを行う時には、電磁弁１０８を開けることにより、水比例弁１０５を出た湯がフローセンサ１０７、電磁弁１０８及び逆止弁１０９，１１０を介して風呂の浴槽１１１へ供給される。
【００１０】
このとき、逆流防止装置１１２には、検圧管１２３を介して上水道の元圧（一次圧Ｐ１）が導入されている。この一次圧は、逆止弁１０９，１１０を通過する配管内の通水圧（二次圧Ｐ２）より大きいため、ピストン１１６は押されて弁パッキン１１７が接続部１１３を閉じた状態にする。
【００１１】
そして、停電により上水を汲み上げている給水加圧ポンプが停止したり、断水が発生するなどして給水管１０１内に負圧が発生した場合には、一次圧Ｐ１の低下を感知したダイヤフラム１１８がピストン１１６を開弁方向に付勢し、逆止弁１０９，１１０の間の配管を排水口１１４と連通させて、配管内の水を大気に放出する。
【００１２】
このとき、もし、逆止弁１１０が異物の噛み込みなどにより水密不良となっていた場合には、高所にある浴槽１１１に残っている汚水がその水頭圧により逆止弁１１０を介して逆流してくるが、その汚水は逆流防止装置１１２により大気に放出されるため、浴槽１１１内の汚水が給湯管１０６の方まで逆流することはない。
【特許文献１】特許第３４０８８０６号公報（段落〔００１０〕〜〔００１１〕，図１）
【発明の開示】
【発明が解決しようとする課題】
【００１３】
上述のように、従来の逆流防止装置は、ピストンとダイヤフラムとを固定するためにボディ内にリテーナとねじを配置している。あるいは、その代替手段として、平ワッシャ及びナットとねじによる固定や、リベットによる加締め接合などが提案されている。
【００１４】
しかしながら、このような固定手段によると部品点数が多くなってコストが嵩む。また、取り付けスペースを要するため、逆流防止装置のコンパクト化を妨げる要因になる。さらに、ダイヤフラムの中央にねじやリベットを通すための孔を設ける必要があるため、固定手段による組み付け工程において何らかのミスや異常が発生すると、その孔から気密漏れが発生する可能性がある。
【００１５】
本発明はこのような点に鑑みてなされたものであり、小型で低コストに製造できるとともに、ダイヤフラムからの気密漏れを防止できる逆流防止装置を提供することを目的とする。
【課題を解決するための手段】
【００１６】
本発明では上記問題を解決するために、給水源配管と給水先配管との間に配置されて、前記給水源配管の一次圧と前記給水先配管の二次圧とを受けて開閉し、前記給水先配管を流れてきた逆流水を外部に排水することで、前記給水源配管への逆流を防止する逆流防止装置であって、前記給水先配管につながる第１接続部と、前記給水源配管につながる第２接続部と、前記第１接続部から導入された前記逆流水を外部に排出する排水口とを有するボディと、前記ボディの内部に往復移動可能に配置された弁体と、前記第１接続部と前記排水口とを連通する連通路に設けられた弁座と、前記弁体に一体的に設けられ、前記排水口に連通する空間内で前記弁座に対して接離することにより前記連通路を開閉する弁形成部と、前記ボディの内部における前記第１接続部と前記第２接続部との間の空間を仕切るとともに、前記第１接続部側の空間部に配置された前記弁体の端部に当接して配置され、前記第１接続部側の面に前記二次圧を受け、前記第２接続部側の面に前記一次圧を受けて前記弁体と一体に動作するダイヤフラムと、を備えたことを特徴とする逆流防止装置が提供される。
【００１７】
このような逆流防止装置においては、ダイヤフラムと弁体とが当接して配置されている。このダイヤフラムは、通常時は弁体と反対側の面に一次圧を受けているため、弁体側に付勢されている。このとき、弁部は閉弁状態になっており、弁形成部が弁座に当接することで弁体の移動が阻止されているため、ダイヤフラムと弁体とはほぼ密着状態となる。一方、一次圧が低くなって逆流水が導入された際には、一次圧と二次圧との差圧によって弁部が開弁してその逆流水を排水口から外部に排出する。そして、この逆流水の排出により二次圧が低くなるため、一次圧と二次圧との差圧によって弁部は再び閉弁状態に戻る。すなわち、逆流時においても、弁体とダイヤフラムは一次圧と二次圧との差圧によりほぼ密着して一体的に動作する。このため、本構成では、弁体とダイヤフラムとを固定するためのボルト及びナットやリテーナなどの別部品を設けておらず、その結果、部品点数が削減される。
【００１８】
また、ダイヤフラムは弁体と当接状態にあるが、固定のための孔部を設けないため、ダイヤフラムからの気密漏れの発生を防止することができる。
【発明の効果】
【００１９】
本発明の逆流防止装置によれば、弁体とダイヤフラムとを固定するための別部品を設けることなく、両者の当接状態を保持することができる。このため、別部品が設けられない分、部品点数が削減されてコストを低減できるとともに、逆流防止装置全体をコンパクトに構成することができる。さらに、ダイヤフラムに固定用の孔部を設ける必要がないため、気密漏れを防止することができる。
【発明を実施するための最良の形態】
【００２０】
以下、本発明の実施の形態について図面を参照して詳細に説明する。
［第１の実施の形態］
本実施の形態は、本発明の逆流防止装置を風呂の給湯システム用に構成したものである。図１及び図２は、第１の実施の形態に係る逆流防止装置の構成を表す中央縦断面図である。図１は逆流防止装置の閉弁状態を表し、図２は逆流防止装置の開弁状態を表している。なお、給湯システム全体の構成については図８に示したものとほぼ同様であるため、その説明については省略する。
【００２１】
図１に示すように、この逆流防止装置は、第１ボディ１，第２ボディ２，及び両ボディ間に介装された中継ボディ３を備えている。各ボディは、圧入により互いに接合されている。
【００２２】
第１ボディ１には、給湯システムの浴槽の手前に配置された２つの逆止弁の間の配管（「給水先配管」に該当する）に接続して二次圧Ｐ２を受ける接続部４（「第１接続部」に該当する）と、大気に開放される排水口５が一体に設けられている。また、接続部４の開口中心と同軸上に、ピストン６（「弁体」に該当する）が往復移動可能に配置されている。このピストン６は、有底円筒状の本体７に有底円筒状のガイド部材８を内挿した二重構造を有する。本体７の開口端部には環状の弁パッキン９（「弁形成部」に該当する）が嵌着され、接続部４の内部通路１０の内側開口端部により形成される弁座１１に着脱可能になっている。これら弁パッキン９と弁座１１により構成される弁部が開閉されることにより、接続部４と排水口５とをつなぐ連通路が開放又は閉塞される。また、本体７の開口端部から外側に延出したフランジ部１２と第１ボディ１の内壁との間には、ピストン６を接続部４から離間する方向に付勢するスプリング１３（「付勢手段」に該当する）が介装されている。
【００２３】
ガイド部材８は、その底部がねじ１４により本体７に固定されている。ガイド部材８の開口端には外側にやや延出するフランジ部１５が設けられ、このフランジ部１５により弁パッキン９が脱落するのを阻止できるようになっている。また、ガイド部材８の開口端には、接続部４の内部通路１０に沿って延びる３つのガイド部１６（同図には２つのみ表示されている）が設けられ、このガイド部１６がその内部通路１０に沿って摺動しつつガイドされることにより、ピストン６がその軸線方向に安定に往復移動できるようになっている。
【００２４】
第２ボディ２には、検圧管を介して給水管（「給水源配管」に該当する）からの一次圧Ｐ１を受ける接続部１７（「第２接続部」に該当する）が一体に設けられている。この第２ボディ２と中継ボディ３との間に挟持されるようにダイヤフラム１８が配置され、一次圧Ｐ１を受ける接続部１７と二次圧を受ける接続部４との間の空間を仕切っている。このダイヤフラム１８は、周端部近傍が折り返されてカップ状に形成された本体を有し、その本体の形状に沿ってピストン６の接続部４と反対側の端部が当接して収容されるように構成されている。ダイヤフラム１８は、その接続部４側の面に二次圧を受け、接続部１７側の面に一次圧を受けて作動するが、その深い折り返し部により、有効受圧面積を一定に保ちながら長いストロークを作動できるようになっている。
【００２５】
中継ボディ３は、軸線方向の長さが短い段付円筒状の本体を有し、その第１ボディ１に内挿された部分の端面によってピストン６のフランジ部１２に当接してこれを係止するストッパ部１９が構成されている。つまり、ピストン６の開弁方向のストロークは、中継ボディ３への当接によって規制されている。さらに、逆流水の大気開放中における気密漏れを防止するために、第１ボディ１と中継ボディ３との間にＯリング２０が配置されている。
【００２６】
このようにして構成された逆流防止装置において、通常の使用状態では、図１に示すように、接続部１７に検圧管を介して給水管からの元圧（一次圧Ｐ１）を受け、接続部４には逆止弁を通過する配管内の通水圧（二次圧Ｐ２）を受けている。一次圧Ｐ１は、二次圧Ｐ２よりも高いため、ダイヤフラム１８がそれらの差圧を感知してピストン６を閉弁方向に駆動して弁パッキン９をその弁座１１に着座させる。これにより、接続部４と排水口５とをつなぐ連通路が閉塞される。
【００２７】
ここで、停電による給水加圧ポンプの停止、断水などが発生して給水管内に負圧が発生したときには、一次圧Ｐ１が二次圧Ｐ２よりも低くなるため、図２に示すように、ダイヤフラム１８がその一次圧Ｐ１の低下を感知し、ピストン６が開弁方向へ移動するのを許容する。このため、ピストン６は、一次圧Ｐ１と二次圧Ｐ２との差圧とスプリング１３の付勢力によって開弁方向へ移動する。このとき、弁パッキン９は弁座１１からリフトするが、フランジ部１２がストッパ部１９に当接したときの全開位置に保持される。これにより、接続部４と排水口５との間の連通路が開放され、直列に配置された２つの逆止弁の間の配管を大気に開放する。
【００２８】
このとき、もし、浴槽が給湯装置よりも高い位置に設置されていて、浴槽の手前に配置された逆止弁が異物の噛み込みなどにより水密不良となっていた場合には、浴槽内の汚水がその水頭圧により逆止弁を介して逆流防止装置まで逆流してくるが、その汚水は逆流防止装置によって大気に放出されるため、浴槽内の汚水が給湯管の方まで逆流することはない。これにより、汚水が上水側へ逆流することをこの逆流防止装置によって完全に防止することができる。
【００２９】
以上に説明したように、本実施の形態の逆流防止装置においては、ダイヤフラム１８とピストン６とがボルト及びナットやリテーナなどの別部品を介在させることなく、密着した状態で一体的に動作する。このため、別部品が設けられない分、部品点数が削減されてコストを低減できるとともに、逆流防止装置全体をコンパクトに構成することができる。さらに、ダイヤフラム１８に固定用の孔部を設ける必要がないため、気密漏れを確実に防止することができる。
【００３０】
［第２の実施の形態］
次に、本発明の第２の実施の形態について説明する。なお、本実施の形態に係る逆流防止装置は、ピストンとダイヤフラムの各構造及び組み付け構造が異なる以外は上記第１の実施の形態の構成と同様であるため、同様の構成部分については同一の符号を付す等してその説明を省略する。図３及び図４は、第２の実施の形態に係る逆流防止装置の構成を表す中央縦断面図である。図３は逆流防止装置の閉弁状態を表し、図４は逆流防止装置の開弁状態を表している。
【００３１】
図３に示すように、この逆流防止装置においては、ピストン２０６（「弁体」に該当する）が有底円筒状の本体２０７を有するが、二重構造にはなっていない。本体２０７の底部中央には、これを軸線方向に貫通する嵌合孔２０８が形成されている。
【００３２】
一方、ダイヤフラム２１８は、ピストン２０６側の面に突設されて嵌合孔２０８に挿通される断面Ｔ字状の嵌合部２１９が一体成形されている。この嵌合部２１９の頭部が嵌合孔２０８に挿通された後に弾性復帰して嵌合孔２０８に嵌着されることにより、ダイヤフラム２１８とピストン２０６とが固定される。
【００３３】
このような構成の逆流防止装置の動作は、第１の実施の形態に係る逆流防止装置とほぼ同じであり、通常は図３に示すように、二次圧Ｐ２よりも高い一次圧Ｐ１によってダイヤフラム２１８が弁パッキン９をその弁座１１に押し付けることにより、接続部４と排水口５との間の連通路を遮断する。そして、停電又は断水などにより給水管内に負圧が発生して一次圧Ｐ１が二次圧Ｐ２よりも低くなったときには、図４に示すように、弁部が全開して、接続部４を排水口５を介して大気に連通させ、直列に配置された２つの逆止弁の間の配管を大気に開放する。このとき、たとえ、浴槽内の汚水が機能不良に陥った逆止弁を介して逆流してきたとしても、その汚水は逆流防止装置を介して大気に放出されるため、汚水が給湯装置まで逆流してしまうことを完全に防止することができる。
【００３４】
以上に説明したように、本実施の形態の逆流防止装置においても、ダイヤフラム２１８とピストン２０６とがボルト及びナットやリテーナなどの別部品を介在させることなく、密着した状態で一体的に動作する。このため、別部品が設けられない分、部品点数が削減されてコストを低減できるとともに、逆流防止装置全体をコンパクトに構成することができる。
【００３５】
また、ダイヤフラム２１８にピストン２０６に固定するための嵌合部２１９が一体成形されたため、ダイヤフラム２１８とピストン２０６とが安定して一体動作することができる。この場合も、ダイヤフラム２１８に固定用の孔部を設ける必要がなく、気密漏れを確実に防止することができる。
【００３６】
［第３の実施の形態］
図５は、第３の実施の形態に係る逆流防止装置の構成を表す中央縦断面図である。図６は、その逆流防止装置の左側面図である。さらに、図７は、その逆流防止装置の底面図である。なお、給湯システム全体の構成については図８に示したものとほぼ同様であるため、その説明については省略する。
【００３７】
図５〜図７に示すように、この逆流防止装置は、第１ボディ３０１と、これに圧入により嵌合された第２ボディ３０２とを備える。
第１ボディ３０１には、給湯システムの浴槽の手前に配置された２つの逆止弁の間の配管（「給水先配管」に該当する）に接続して二次圧Ｐ２を受ける接続部３０３（「第１接続部」に該当する）と、大気に開放される排水口３０４が一体に設けられている。両ボディにより形成される空間には、接続部３０３の開口中心と同軸上に、プラグ３０５（「弁体」に該当する）が軸線方向に往復移動可能に配置されている。
【００３８】
ボディ３０１には、その接続部３０３の内部通路３０６に、プラグ３０５の後述する軸部を支持する軸受部３０７が設けられている。この軸受部３０７は、中央に軸受用の孔３０８を有し、その孔３０８の周囲に同心円上に配置された３つの連通孔３０９が設けられている。また、ボディ３０１の内部には、接続部３０３から離れる方向に延出する円筒状の弁座形成部３１０が設けられ、その先端面により弁座３１１が形成されている。
【００３９】
プラグ３０５は、接続部３０３側に向かって複数段に縮径化する段付円柱状の本体３１２を有し、その先端が軸受部３０７の孔３０８に挿通されて摺動可能に支持される軸部３１３となっている。また、本体３１２の中央付近の外周部に設けられた溝部には、環状の弁パッキン３１４（「弁形成部」に該当する）が嵌着され、弁座３１１に着脱可能になっている。これら弁パッキン３１４と弁座３１１により構成される弁部が開閉されることにより、接続部３０３と排水口３０４とをつなぐ連通路が開放又は閉塞されるようになっている。また、本体３１２の軸部３１３と反対側の端面には、凸状の係合部３１５が突設されている。さらに、本体３１２と軸受部３０７との間には、プラグ３０５を接続部３０３から離間する方向に付勢するスプリング３１６（「付勢手段」に該当する）が介装されている。
【００４０】
第２ボディ３０２には、検圧管を介して給水管（「給水源配管」に該当する）からの一次圧Ｐ１を受ける接続部３１７（「第２接続部」に該当する）が一体に設けられている。この接続部３１７は、接続部３０３と排水口３０４とをつなぐ連通路に対して約９０度の角度で交わる方向に延びている。そして、第１ボディ３０１と第２ボディ３０２との間に挟持されるようにダイヤフラム３１８が配置され、一次圧Ｐ１を受ける接続部３１７と二次圧を受ける接続部３０３との間の空間を仕切っている。このダイヤフラム３１８は、第１の実施の形態のダイヤフラム１８と比較して折り返しが浅くて作動ストロークの短いものである。ダイヤフラム３１８の本体３１９は厚くなっており、その中央部には、プラグ３０５の上記係合部３１５と相補形状の凹部からなる係合部３２０が形成されている。したがって、プラグ３０５は、その一端側が軸受部３０７に支持され、他端側がダイヤフラム３１８に支持された状態で軸線方向に往復移動する。
【００４１】
このような構成の逆流防止装置の動作は、第１の実施の形態に係る逆流防止装置とほぼ同じであり、通常は、二次圧Ｐ２よりも高い一次圧Ｐ１によってダイヤフラム３１８が弁パッキン３１４をその弁座３１１に押し付けることにより、接続部３０３と排水口５との間の連通路を遮断する。そして、停電又は断水などにより給水管内に負圧が発生して一次圧Ｐ１が二次圧Ｐ２よりも低くなったときには、弁部が全開して、接続部３０３を排水口３０４を介して大気に連通させ、直列に配置された２つの逆止弁の間の配管を大気に開放する。このとき、たとえ、浴槽内の汚水が機能不良に陥った逆止弁を介して逆流してきたとしても、その汚水は逆流防止装置を介して大気に放出されるため、汚水が給湯装置まで逆流してしまうことを完全に防止することができる。
【００４２】
以上に説明したように、本実施の形態の逆流防止装置においても、ダイヤフラム３１８とプラグ３０５とがボルト及びナットやリテーナなどの別部品を介在させることなく、密着した状態で一体的に動作する。このため、別部品が設けられない分、部品点数が削減されてコストを低減できるとともに、逆流防止装置全体をコンパクトに構成することができる。
【００４３】
また、ダイヤフラム３１８とプラグ３０５とが各係合部を介して互いに係合するように構成されているため、ダイヤフラム３１８とプラグ３０５とが安定して一体動作することができる。この場合も、ダイヤフラム３１８に固定用の孔部を設ける必要がないため、気密漏れを防止することができる。
【００４４】
なお、上記各実施の形態では、本発明の逆流防止装置を風呂の給湯システム用に構成した例を示したが、逆流が発生する可能性がある様々なシステムに適用可能であることはいうまでもない。
【００４５】
また、上記各実施の形態では、ピストン６，２０６、プラグ３０５を、それぞれダイヤフラム１８，２１８，３１８の側に付勢する付勢手段にスプリングを採用したが、ゴムその他の付勢手段を採用することもできる。
【図面の簡単な説明】
【００４６】
【図１】第１の実施の形態に係る逆流防止装置の構成を表す中央縦断面図である。
【図２】第１の実施の形態に係る逆流防止装置の構成を表す中央縦断面図である。
【図３】第２の実施の形態に係る逆流防止装置の構成を表す中央縦断面図である。
【図４】第２の実施の形態に係る逆流防止装置の構成を表す中央縦断面図である。
【図５】第３の実施の形態に係る逆流防止装置の構成を表す中央縦断面図である。
【図６】第３の実施の形態に係る逆流防止装置の左側面図である。
【図７】第３の実施の形態に係る逆流防止装置の底面図である。
【図８】給湯システムの構成例を示す図である。
【符号の説明】
【００４７】
１，３０１  第１ボディ
２，３０２  第２ボディ
３  中継ボディ
４，３０３  接続部
５，３０４  排水口
６，２０６  ピストン
９，３１４  弁パッキン
１１  弁座
１３，３１６  スプリング
１７，３１７  接続部
１８，２１８，３１８  ダイヤフラム
１９  ストッパ部
２０８  嵌合孔
２１９  嵌合部
３０５  プラグ
３０７  軸受部
３１１  弁座
３１３  軸部
３１５，３２０  係合部
【図１】
2006342927.tif 000003
【図２】
2006342927.tif 000004
【図３】
2006342927.tif 000005
【図４】
2006342927.tif 000006
【図５】
2006342927.tif 000007
【図６】
2006342927.tif 000008
【図７】
2006342927.tif 000009
【図８】
2006342927.tif 000010